(57)【特許請求の範囲】
【請求項１】
開口部が形成された殺菌対象物の内部底面を紫外線の照射により殺菌する紫外線照射装置であって、
上記殺菌対象物の内部底面にその中心軸上で接近および／または離間しながら紫外線を照射する照射源と、
上記照射源からの紫外線を当該照射源から内部底面に向けて広がる中空の円錐形状または多角錐形状にする屈折部材と、
上記紫外線の照射される内部底面において当該紫外線の光量が一定になるように、上記照射源の接近および／または離間する速度を制御する制御部とを備えることを特徴とする紫外線照射装置。
【請求項２】
屈折部材が、アキシコンレンズであり、
上記紫外線を平行光にして上記アキシコンレンズに導く導光レンズを備えることを特徴とする請求項１に記載の紫外線照射装置。
【請求項３】
屈折部材が、紫外線を集光する回折光学素子であり、
上記紫外線を上記回折光学素子に導く導光レンズを備えることを特徴とする請求項１に記載の紫外線照射装置。
【請求項４】
屈折部材または導光レンズが、照射源からの紫外線の一部を反射させるものであることを特徴とする請求項２または３に記載の紫外線照射装置。
【請求項５】
先端が照射源となり殺菌対象物の開口部に挿入され得る紫外線照射ノズルを備え、
上記紫外線照射ノズルが、紫外線を透過させ得る透過窓と、この透過窓の内側に配置された起伏式反射板とを有し、
上記起伏式反射板は、起立した状態で上記透過窓を覆うことにより当該透過窓から紫外線を出射させず、倒伏した状態で上記透過窓に紫外線を反射させることにより当該透過窓から出射させるものであることを特徴とする請求項１乃至４のいずれか一項に記載の紫外線照射装置。
【発明の詳細な説明】
【技術分野】
【０００１】
本発明は、容器などの殺菌対象物の内面を紫外線の照射により殺菌する紫外線照射装置に関するものである。
【背景技術】
【０００２】
飲食品用または医療用の容器を取り扱う企業は、その容器の殺菌が不十分ゆえに食中毒または医療の事故を引き起こすと、社会からの信用が大きく失墜することになる。このため、これらの容器などには、安全性が重要視される先進諸国で、確実な殺菌が必要である。
【０００３】
現在では、容器を確実に殺菌するための設備として、容器に紫外線を照射する紫外線照射装置が採用されている。紫外線照射装置は、同じ乾式殺菌装置であるガンマ線照射装置や電子線照射装置と比べて、殺菌対象物である容器などを劣化させにくいという長所がある反面、殺菌のために照射時間が若干長くなるという短所がある。従来の紫外線照射装置としては、図１４および図１５に示すように、紫外線照射ノズル１１３を有し、この紫外線照射ノズル１１３を上記容器１の内部に開口部２を通じて挿入しながら、紫外線照射ノズル１１３の先端に配置された照射源１３２から紫外線ＵＶを上記容器１の内面に照射するものが提案されている（例えば、特許文献１参照）。
【先行技術文献】
【特許文献】
【０００４】
【特許文献１】特開２００６−２１８３４号公報
【発明の概要】
【発明が解決しようとする課題】
【０００５】
ところで、上記特許文献１では、図１４および図１５に示すように、容器１の内部底面３が平坦であり、この内部底面３の中心部から直上方に紫外線ＵＶの照射源１３２が位置する。このため、紫外線ＵＶの照射源１３２に近い内部底面３の中心部は光量Ｑが高く十分に殺菌されるものの、紫外線ＵＶの照射源１３２から遠い内部底面３の縁部は光量Ｑが低く十分に殺菌されないおそれがある。したがって、上記特許文献１に記載の紫外線照射装置では、内部底面３の縁部における殺菌を基準に紫外線ＵＶの照射時間を決定しなければならず、必然的に紫外線ＵＶの照射時間が長くなる。この問題は、上記内部底面３で紫外線ＵＶの照射ムラが生ずることに起因する。
【０００６】
特に、殺菌対象物がペットボトルの場合、ペットボトルの開栓による圧力変動を吸収するために内部底面の中心部が縁部よりも高くされるので、上記特許文献１に記載の紫外線照射装置では上述した照射ムラが一層大きくなる。
【０００７】
このように、殺菌対象物への紫外線の照射時間が長くなることは、殺菌対象物に対する殺菌時間が長くなることにつながる。
そこで、本発明は、殺菌対象物に対する殺菌時間を短縮することができる紫外線照射装置を提供することを目的とする。
【課題を解決するための手段】
【０００８】
上記課題を解決するため、第１の発明に係る紫外線照射装置は、開口部が形成された殺菌対象物の内部底面を紫外線の照射により殺菌する紫外線照射装置であって、
上記殺菌対象物の内部底面にその中心軸上で接近および／または離間しながら紫外線を照射する照射源と、
上記照射源からの紫外線を当該照射源から内部底面に向けて広がる中空の円錐形状または多角錐形状にする屈折部材と、
上記紫外線の照射される内部底面において当該紫外線の光量が一定になるように、上記照射源の接近および／または離間する速度を制御する制御部とを備えるものである。
【０００９】
また、第２の発明に係る紫外線照射装置は、第１の発明に係る紫外線照射装置における屈折部材が、アキシコンレンズであり、
上記紫外線を平行光にして上記アキシコンレンズに導く導光レンズを備えるものである。
【００１０】
さらに、第３の発明に係る紫外線照射装置は、第１の発明に係る紫外線照射装置における屈折部材が、紫外線を集光する回折光学素子であり、
上記紫外線を上記回折光学素子に導く導光レンズを備えるものである。
【００１１】
加えて、第４の発明に係る紫外線照射装置は、第２または第３の発明に係る紫外線照射装置における屈折部材または導光レンズが、照射源からの紫外線の一部を反射させるものである。
【００１２】
また、第５の発明に係る紫外線照射装置は、第１乃至第４のいずれか一つの発明に係る紫外線照射装置において、先端が照射源となり殺菌対象物の開口部に挿入され得る紫外線照射ノズルを備え、
上記紫外線照射ノズルが、紫外線を透過させ得る透過窓と、この透過窓の内側に配置された起伏式反射板とを有し、
上記起伏式反射板は、起立した状態で上記透過窓を覆うことにより当該透過窓から紫外線を出射させず、倒伏した状態で上記透過窓に紫外線を反射させることにより当該透過窓から出射させるものである。
【発明の効果】
【００１３】
上記紫外線照射装置によると、殺菌対象物の内面において殺菌に必要な紫外線の光量が一定になることにより、紫外線の無駄な照射が抑えられるので、殺菌対象物に対する殺菌時間を短縮することができる。
【図面の簡単な説明】
【００１４】
【図１】本発明の実施の形態に係る紫外線照射装置を示す概略縦断面図であり、紫外線の照射源がペットボトルの内部底面から遠い状態を示す。
【図２】同紫外線照射装置を示す概略縦断面図であり、紫外線の照射源がペットボトルの内部底面から近い状態を示す。
【図３】本発明の実施例１に係る紫外線照射装置とその周辺の設備を示す概略斜視図である。
【図４】同紫外線照射装置の全体構成を示す一部切欠側面図である。
【図５】同紫外線照射装置の照射源がペットボトルの内部に挿入された直後を示す拡大縦断面図である。
【図６】同紫外線照射装置の照射源がペットボトルの内部底面から遠い状態を示す拡大縦断面図である。
【図７】図６の状態でのペットボトルの内部底面を示す平面図である。
【図８】同照射源がペットボトルの内部底面から近い状態を示す拡大縦断面図である。
【図９】図８の状態でのペットボトルの内部底面を示す平面図である。
【図１０】同内部底面に紫外線の照射される面積が大きい場合を示す拡大縦断面図である。
【図１１】同内部底面に紫外線の照射される面積が小さい場合を示す拡大縦断面図である。
【図１２】本発明の実施例２に係る紫外線照射装置の照射源がペットボトルの内部底面から遠い状態を示す拡大縦断面図である。
【図１３】本発明の他の実施例に係る紫外線照射装置の光ファイバーを示す拡大縦断面図である。
【図１４】従来の紫外線照射装置を示す概略縦断面図であり、紫外線の照射源が容器の内部底面から遠い状態を示す。
【図１５】同紫外線照射装置を示す概略縦断面図であり、紫外線の照射源が容器の内部底面から近い状態を示す。
【発明を実施するための形態】
【００１５】
以下、本発明の実施の形態に係る紫外線照射装置について図面に基づき説明する。
まず、上記紫外線照射装置に係る技術的思想の概略について説明する。
この紫外線照射装置は、図１に示すように、照射する紫外線ＵＶを中空形状（中空Ｈを有する）にするとともに、図２に示すように、ペットボトル１（殺菌対象物の一例である）の内部底面３（内面の一部である）で殺菌に必要な紫外線ＵＶの光量Ｑが一定になる速度Ｖで、紫外線ＵＶの照射源３２を上記内部底面３に接近および／または離間させるものである。
【００１６】
従来の図１４および図１５に示す紫外線照射装置では、紫外線ＵＶの照射源１３２の上記速度Ｖをどのように制御しても、ペットボトル１の内部底面３において殺菌に必要な紫外線ＵＶの光量Ｑを一定にすることが不可能であり、言い換えれば、当該内部底面３において必然的に照射ムラが生ずる。しかし、本発明の紫外線照射装置では、照射する紫外線ＵＶが中空形状であるから、紫外線ＵＶの照射源３２の上記速度Ｖを適切に制御することにより、容器の内部底面３において殺菌に必要な紫外線ＵＶの光量Ｑを一定にすることが可能であり、言い換えれば、照射ムラを抑え得る。
【００１７】
このように、本発明の紫外線照射装置１０では、ペットボトル１の内部底面３において殺菌に必要な紫外線ＵＶの光量Ｑが一定になることにより、紫外線ＵＶの無駄な照射が抑えられるので、ペットボトル１に対する殺菌時間を短縮することができる。
【実施例１】
【００１８】
以下、本発明の実施例１に係る紫外線照射装置１０について図３〜図９に基づき説明する。
図３に示すように、上記紫外線照射装置１０は、ターンテーブル８の縁部に等ピッチで多数配置されて、このターンテーブル８と同期して円経路９に搬送される多数のペットボトル１の内面に紫外線ＵＶを照射源３２から照射することで、これらペットボトル１の内面を連続して殺菌するものである。円経路９に搬送されているペットボトル１は、その開口部２が上側（ターンテーブル８側）になる姿勢にされる。ペットボトル１の内面が殺菌される際には、ペットボトル１の上昇により開口部２を通じて紫外線ＵＶの照射源３２がペットボトル１の内部に挿入され、ペットボトル１の内面が殺菌された後には、ペットボトル１の下降により開口部２を通じて紫外線ＵＶの照射源３２がペットボトル１の内部から出退する。ペットボトル１の上昇および下降は、図３では省略するが、後述する昇降部１５（図４参照）により行われる。
【００１９】
図４に示すように、個々の紫外線照射装置１０は、紫外線ＵＶを発生させる紫外線発生部１２と、紫外線発生部１２で発生させた紫外線ＵＶをペットボトル１の内部まで導く紫外線照射ノズル１３と、この紫外線発生部１２からの紫外線ＵＶを殺菌に適した形状にする調光部１４と、ペットボトル１を上昇および下降させる昇降部１５と、この昇降部１５による上昇および／または下降の速度Ｖを制御する制御部１６とを有する。なお、紫外線照射装置１０は電子線照射装置などと比べて軽いので、昇降部１５にペットボトル１を上昇および下降させる構成だけでなく、紫外線照射装置１０自体を上昇および下降させる構成にすることも可能である。
【００２０】
上記紫外線発生部１２は、固定具７によりターンテーブル８に固定されるチャンバー２１と、このチャンバー２１の内部に配置される紫外線ＬＥＤ群２２および集光レンズ２３とを具備する。１つの紫外線ＬＥＤでは殺菌のための光束が不足するので、上記紫外線ＬＥＤ群２２は、複数の紫外線ＬＥＤから構成される。上記紫外線ＬＥＤ群２２を構成する紫外線ＬＥＤは、いずれも、殺菌に適した波長（２００〜３００ｎｍ程度）の紫外線ＵＶを発生させるものである。上記集光レンズ２３は、上記紫外線ＬＥＤ群２２からの紫外線ＵＶを殺菌に適した光束にするために、上記紫外線ＬＥＤ群２２からの紫外線ＵＶを１００〜１０００倍程度に集光して紫外線照射ノズル１３に導くものである。
【００２１】
上記紫外線照射ノズル１３は、例えば光ファイバー１３である。この光ファイバー１３は、基端３１が上記チャンバー２１における集光レンズ２３により紫外線ＵＶの集光される部分に接続され、先端３２が上記調光部１４に接続される。この光ファイバー１３の先端３２が、本発明における紫外線ＵＶの照射源３２に相当する。
【００２２】
上記昇降部１５は、ペットボトル１を保持し得るグリッパー５１と、このグリッパー５１を上昇および下降させる昇降軸５２とを具備する。また、上記昇降部１５は、上記ペットボトル１を上昇および下降させることにより、当該ペットボトル１の開口部２から、上記光ファイバー１３の先端３２近傍も含めて調光部１４を挿入および出退させるものである。言い換えれば、上記昇降部１５は、図５に示すように、上記紫外線ＵＶの照射源３２をペットボトル１の内部底面３に接近および離間させるものである。
【００２３】
図４に示すように、上記制御部１６は、ペットボトル１の少なくとも内部底面３において照射される紫外線ＵＶの光量Ｑが一定となるように、昇降部１５によるペットボトル１の上昇および／または下降の速度Ｖを制御するものである。このため、上記制御部１６は、上記制御のために必要なデータが入力される入力部６１と、この入力部６１に入力されたデータに基づいて上記速度Ｖを算出する算出部６２と、この算出部６２により算出された速度Ｖで昇降軸５２にグリッパー５１を上昇および／または下降させる出力部６３とを具備する。上記入力部６１に入力される必要なデータは、例えば、上記調光部１４からの紫外線ＵＶの形状および光束、ペットボトル１の少なくとも内部底面３の形状、並びに、紫外線ＵＶの殺菌に必要な光量Ｑなどである。
【００２４】
以下、本発明の要旨である上記調光部１４について詳細に説明する。
図６に示すように、上記調光部１４は、上記光ファイバー１３の先端３２に設けられて紫外線ＵＶを透過させ得る透明円筒ケース４１と、この透明円筒ケース４１に配置された非球面レンズ４２（導光レンズの一例である）およびアキシコンレンズ４３（屈折部材の一例である）とを具備する。
【００２５】
上記非球面レンズ４２は、その屈折率が光ファイバー１３からの紫外線ＵＶを平行光にするようにされ、この平行光の紫外線ＵＶをアキシコンレンズ４３に導くものである。
上記アキシコンレンズ４３は、上記非球面レンズ４２からの平行光の紫外線ＵＶを、平行光のまま、縦断面が逆Ｖ字形状（図６参照）で且つ横断面がリング形状（図７参照）になるように、屈折させて透過させるものである。このため、上記アキシコンレンズ４３を透過した紫外線ＵＶは、平行光のまま、縦断面が逆Ｖ字形状で且つ横断面がリング形状、すなわち、上記アキシコンレンズ４３から内部底面３に向けて広がる中空Ｈの円錐形状（中空形状の一例である）となる。一方で、上記アキシコンレンズ４３は、上記非球面レンズ４２からの平行光の紫外線ＵＶを、平行光のまま、その一部（例えば５０％）が反射するように、入射面に反射コーティングが施される。なお、上記アキシコンレンズ４３の入射面は、その頂点が非球面レンズ４２に向けられた円錐面である。このため、上記アキシコンレンズ４３で反射した紫外線ＵＶは、平行光のまま、縦断面がＶ字形状で且つ横断面がリング形状、すなわち、上記アキシコンレンズ４３から内部側面４に向けて広がる中空の円錐形状となる。なお、上記非球面レンズ４２とアキシコンレンズ４３との間隔は、上記アキシコンレンズ４３で反射した紫外線ＵＶを上記非球面レンズ４２が遮らないようにされる。
【００２６】
上記アキシコンレンズ４３を透過した紫外線ＵＶが中空Ｈの円錐形状であることにより、図６および図７に示すように、上記照射源３２が内部底面３から遠いと当該内部底面３の縁部に紫外線ＵＶが照射され、図８および図９に示すように、上記照射源３２が内部底面３から近いと当該内部底面３の中心部に紫外線ＵＶが照射される。このため、上記調光部１４を内部底面３に接近および離間させることにより、図７および図９に示すように、上記内部底面３に照射される紫外線ＵＶのリング形状の径が変化するので、その接近および／または離間の速度Ｖを適切に制御することにより、上記内部底面３において殺菌に必要な紫外線ＵＶの光量Ｑが一定になる。
【００２７】
上記速度Ｖは、概略的に、上記照射源３２が内部底面３から遠いと（図６参照）低く、上記照射源３２が内部底面３から近いと（図８参照）高くなる。なぜなら、上記照射源３２が内部底面３から遠いと、紫外線ＵＶの照射が不十分になるので照射時間を長くする必要があり、上記照射源３２が内部底面３から近いと、紫外線ＵＶの照射が十分なので照射時間を短くしてもよいからである。また、上記速度Ｖは、図１０に示すように、紫外線ＵＶの照射される面積が大きいと照射時間を長くするようにし、図１１に示すように、紫外線ＵＶの照射される面積が小さいと照射時間を短くするように調整される。紫外線ＵＶの照射される面積の大小は、図１０および図１１に示すような紫外線ＵＶの照射される内面３，４の凹凸具合に依存する他に、紫外線ＵＶの上記内面３，４に対する角度にも依存する。いずれにせよ、上記速度Ｖは、紫外線ＵＶの照射される内面３，４において当該紫外線ＵＶの光量が一定になるように制御される。
【００２８】
以下、上記紫外線照射装置１０の使用方法について説明する。
図３に示すように、ペットボトル１は、円経路９に搬送されながら、内面が殺菌される際に上昇し、内面が殺菌された後に下降する。
【００２９】
図４に示すように、ペットボトル１の内面が殺菌される際には、昇降部１５によるペットボトル１の上昇により、開口部２を通じて調光部１４（照射源３２に接続されている）がペットボトル１の内部に挿入される。図６および図８に示すように、調光部１４は、ペットボトル１の内部に挿入および／または出退されながら、中空Ｈの円錐形状（縦断面が逆Ｖ字形状）の紫外線ＵＶを内部底面３に照射するとともに、中空の円錐形状（縦断面がＶ字形状）の紫外線ＵＶを内部側面４に照射する。
【００３０】
一方で、図４に示すように、制御部１６では、内部底面３において殺菌に必要な紫外線ＵＶの光量Ｑが一定となるように、上記挿入および／または出退の速度Ｖを制御する。具体的には、この制御のために必要なデータが予め入力部６１に入力され、これらデータに基づいて算出部６２により上記速度Ｖが算出され、この算出された速度Ｖで、ペットボトル１を保持するグリッパー５１が上昇および／または下降する。
【００３１】
図３に示すように、ペットボトル１の内面が殺菌された後には、ペットボトル１の下降により、開口部２を通じて照射源３２がペットボトル１の内部から出退される。そして、このペットボトル１は、円経路９にさらに搬送された後、充填工程など次の工程に入ることになる。
【００３２】
このように、本実施例１に係る紫外線照射装置１０によると、ペットボトル１の内部底面３において殺菌に必要な紫外線ＵＶの光量Ｑが一定になることにより、紫外線ＵＶの無駄な照射が抑えられるので、ペットボトル１に対する殺菌時間を短縮することができる。
【００３３】
また、アキシコンレンズ４３で反射する紫外線ＵＶにより内部側面４も殺菌されるので、内部側面４を殺菌する操作が別途に必要にならず、結果としてペットボトル１に対する殺菌時間を短縮することができる。
【００３４】
さらに、内部底面３および内部側面４に照射される紫外線ＵＶが平行光なので、殺菌対象物であるペットボトル１の大きさ（内径および高さ）に応じて調光部１４を変更する必要がなく、結果として汎用性を高めることができる。
【実施例２】
【００３５】
本発明の実施例２に係る紫外線照射装置１０は、上記実施例１に係る紫外線照射装置１０における調光部１４の構成が異なるものである。上記実施例１では、調光部１４における非球面レンズ４２およびアキシコンレンズ４３により、内部底面３および内部側面４に照射される紫外線ＵＶを平行光としたが、本実施例２では、調光部１４に他の構成を採用することにより、内部底面３に照射される紫外線ＵＶを平行光ではなく集光とする。
【００３６】
以下、上記実施例１と異なる構成である調光部１４に着目して説明するとともに、上記実施例１と同一の構成については、同一の符号を付してその説明を省略する。
本実施例２に係る紫外線照射装置１０の調光部１４における透明円筒ケース４１には、図６に示す上記実施例１のような非球面レンズ４２およびアキシコンレンズ４３の代わりに、図１２に示す球面レンズ４６（導光レンズの一例である）および紫外線ＵＶを集光する回折光学素子４７（屈折部材の一例である）が配置される。
【００３７】
図１２に示すように、上記球面レンズ４６は、その屈折率が光ファイバー１３からの紫外線ＵＶを若干集光するようにされ、この若干集光された紫外線ＵＶをさらに集光する回折光学素子４７に導くものである。一方で、上記球面レンズ４６は、上記光ファイバー１３からの紫外線ＵＶを、その一部（例えば５０％）が反射するように、入射面に反射コーティングが施される。なお、上記球面レンズ４６の入射面は、球面である。このため、上記球面レンズ４６で反射した紫外線ＵＶは、縦断面が扇形状で且つ横断面が円形状、すなわち、上記球面レンズ４６から内部側面４に向けて広がる円錐形状となる。
【００３８】
上記紫外線ＵＶを集光する回折光学素子４７は、上記球面レンズ４６からの若干集光された紫外線ＵＶを、さらに集光しつつ、縦断面が逆Ｖ字形状で且つ横断面がリング形状になるように、屈折させて透過させるものである。このため、上記回折光学素子４７を透過した紫外線ＵＶは、集光されつつ、縦断面が逆Ｖ字形状で且つ横断面がリング形状、すなわち、上記回折光学素子４７から内部底面３に向けて広がる中空Ｈの円錐形状（中空形状の一例である）となる。上記実施例１とは異なり、上記回折光学素子４７を透過した紫外線ＵＶは、集光されつつ照射されるので、上記照射源３２が内部底面３から遠くても、集光した光束の高い紫外線ＵＶが内部底面３の縁部に照射される。
【００３９】
このように、本実施例２に係る紫外線照射装置１０によると、上記実施例１と同様に、ペットボトル１の内部底面３において殺菌に必要な紫外線ＵＶの光量Ｑが一定になることにより、紫外線ＵＶの無駄な照射が抑えられるので、ペットボトル１に対する殺菌時間を短縮することができる。
【００４０】
また、上記実施例１と同様に、球面レンズ４６を反射する紫外線ＵＶにより内部側面４も殺菌されるので、内部側面４を殺菌する操作が別途に必要にならず、結果としてペットボトル１に対する殺菌時間を短縮することができる。
【００４１】
さらに、上記実施例１とは異なり、上記照射源３２が内部底面３から遠くても、集光した光束の高い紫外線ＵＶが内部底面３の縁部に照射されるので、上記昇降の速度Ｖを低くする必要がなく、結果としてペットボトル１に対する殺菌時間を短縮することができる。
【００４２】
ところで、上記実施の形態および実施例では、殺菌対象物としてペットボトル１について説明したが、内面に殺菌が必要な物であれば、どのような物であってもよい。
また、上記実施の形態および実施例では、殺菌対象物の内面として内部底面３について説明したが、照射源３２が接近および離間する内面であればどこであってもよい。
【００４３】
さらに、上記実施の形態および実施例では、内部底面３に照射される紫外線ＵＶを中空Ｈの円錐形状として説明したが、円錐形状に限られるものではなく、中空の多角錐形状など、中空形状であればよい。内部底面３に照射される紫外線ＵＶの中空形状は、内部底面３の形状に応じて適切なものが選択される。
【００４４】
加えて、上記実施例１および２では、紫外線照射ノズル１３の一例として光ファイバー１３について説明したが、これに限定されるものではなく、紫外線発生部１２で発生させた紫外線ＵＶをペットボトル１の内部まで導くものであればよい。
【００４５】
また、上記実施例１および２では、紫外線発生部１２を構成する部材の１つとして紫外線ＬＥＤ群２２について説明したが、これに限定されるものではなく、例えば紫外線ランプなど、紫外線を発生するものであればよい。
【００４６】
さらに、上記実施例１および２では、紫外線ＵＶが内部側面４に照射されるとして説明したが、これは必須ではない。さらに、上記実施例１および２では、内部側面４に照射される紫外線ＵＶは調光部１４からであるとして説明したが、図１３に示すように、光ファイバー１３から紫外線ＵＶが内部側面４に照射されるものであってもよい。このような光ファイバー１３は、ペットボトル１に挿入され得る先端３２近傍において、紫外線ＵＶを透過させ得る透過窓７１と、この透過窓７１の内側に配置された起伏式反射板７２とを有する。上記起伏式反射板７２は、起立した状態で上記透過窓７１を覆うことにより当該透過窓７１から紫外線ＵＶを出射させず（図１３の仮想線を参照）、倒伏した状態で上記透過窓７１に紫外線ＵＶを反射させることにより当該透過窓７１から出射させるものである。上記起伏式反射板７２における起立／倒伏の切り替えは、図示しないが、電磁石またはピエゾ素子などの小型アクチュエータにより行われる。このように、光ファイバー１３から紫外線ＵＶが内部側面４に照射される構成であることにより、頸部５および肩部６など開口部２近傍の内部側面４が重点的に殺菌されるので、このような部分を重点的に殺菌する操作が別途に必要にならず、紫外線ＵＶの照射時間を短縮することができる。
【符号の説明】
【００４７】
ＵＶ  紫外線
Ｑ  光量
Ｖ  速度
１  ペットボトル
２  開口部
３  内部底面
４  内部側面
１０  紫外線照射装置
１２  紫外線発生部
１３  紫外線照射ノズル
１４  調光部
１５  昇降部
１６  制御部
３２  照射源
４１  透明円筒ケース
４２  非球面レンズ
４３  アキシコンレンズ
４６  球面レンズ
４７  回折光学素子
７１  透過窓
７２  起伏式反射板
【図１】
0006532338.tif 000002
【図２】
0006532338.tif 000003
【図３】
0006532338.tif 000004
【図４】
0006532338.tif 000005
【図５】
0006532338.tif 000006
【図６】
0006532338.tif 000007
【図７】
0006532338.tif 000008
【図８】
0006532338.tif 000009
【図９】
0006532338.tif 000010
【図１０】
0006532338.tif 000011
【図１１】
0006532338.tif 000012
【図１２】
0006532338.tif 000013
【図１３】
0006532338.tif 000014
【図１４】
0006532338.tif 000015
【図１５】
0006532338.tif 000016